(57)【特許請求の範囲】
【請求項１】
航空機から航空写真を撮影する航空写真カメラ（１）として形成されている、ポータブルオプティカルセンサモジュール（１）であって、
前記ポータブルオプティカルセンサモジュール（１）の外面（１ａ、１ｂ）には、少なくとも１つのロック装置（２）が配置されており、前記ロック装置（２）は、前記ポータブルオプティカルセンサモジュール（１）を運搬用プラットフォーム（３）上に取り外し可能に固定する、ポータブルオプティカルセンサモジュールにおいて、
少なくとも１つの前記ロック装置（２）は折りたたみ可能なハンドル装置（４）を有しており、前記ハンドル装置（４）は、少なくとも１つの前記ロック装置（２）のロック解除状態においては、前記ポータブルオプティカルセンサモジュール（１）用の持ち手（４ａ）を形成している、
ことを特徴とする、ポータブルオプティカルセンサモジュール。
【請求項２】
少なくとも１つの前記ロック装置（２）は少なくとも１つのロック爪（９）を有しており、前記ロック爪（９）は、少なくとも１つの前記ロック装置（２）のロック状態において、前記運搬用プラットフォーム（３ａ）の少なくとも１つの受け部を少なくとも部分的に包囲している、請求項１記載のポータブルオプティカルセンサモジュール。
【請求項３】
前記ロック装置（２）は少なくとも１つの掛金（１０）を有しており、前記掛金（１０）は、少なくとも１つの前記ロック装置（２）のロック状態において、少なくとも１つの前記ロック爪（９）が動くのを少なくとも近似的に阻止する、請求項２記載のポータブルオプティカルセンサモジュール。
【請求項４】
少なくとも１つの前記ロック装置（２）に少なくとも１つの留め金（１１）が設けられており、前記留め金（１１）は少なくとも１つの前記ロック装置（２）のロック状態において、少なくとも１つの前記ロック装置（２）の少なくとも１つの前記掛金（１０）が動くのを少なくとも近似的に阻止する、請求項３記載のポータブルオプティカルセンサモジュール。
【請求項５】
折りたたみ可能な前記ハンドル装置（４）と、殊に、前記ポータブルオプティカルセンサモジュール（１）の前記外面（１ａ、１ｂ）に配置されている少なくとも１つの案内装置（６）と、前記案内装置（６）中に案内される、有利には２つの部分から形成される、少なくとも１つの線形伸縮部（７）とは、少なくとも１つの前記ロック装置（２）を閉じるための少なくとも１つのトグル継ぎ手（８）を形成する、請求項１から４までのいずれか１項記載のポータブルオプティカルセンサモジュール。
【請求項６】
折りたたみ可能な前記ハンドル装置（４）は、前記少なくとも１つの線形伸縮部（７）によって、少なくとも１つの前記ロック装置（２）の少なくとも１つの前記留め金（１１）と接続されている、請求項５記載のポータブルオプティカルセンサモジュール。
【請求項７】
折りたたみ可能な前記ハンドル装置（４）の当接折りたたみ時に、前記少なくとも１つの線形伸縮部（７）が短くなり、少なくとも１つの前記留め金（１１）は下方へ押され、これによって少なくとも１つの前記掛金（１０）が動くのが阻止される、請求項６記載のポータブルオプティカルセンサモジュール。
【請求項８】
少なくとも１つの前記ロック装置（２）のロック状態において、折りたたみ可能な前記ハンドル装置（４）は、前記ポータブルオプティカルセンサモジュール（１）の外面（１ａ、１ｂ）に少なくとも近似的に当接している、請求項１から７までのいずれか１項記載のポータブルオプティカルセンサモジュール。
【請求項９】
少なくとも１つの前記ロック装置（２）は、折りたたみ可能な前記ハンドル装置（４）を前記ポータブルオプティカルセンサモジュール（１）に当接するように折りたたむことによって閉じられる、請求項１から８までのいずれか１項記載のポータブルオプティカルセンサモジュール。
【請求項１０】
前記ポータブルオプティカルセンサモジュール（１）の、背中合わせの２つの外面（１ａ、１ｂ）には、それぞれ１つの前記ロック装置（２）が配置されている、請求項１から９までのいずれか１項記載のポータブルオプティカルセンサモジュール。
【請求項１１】
複数の前記ロック装置（２）の複数の折りたたみ可能な前記ハンドル装置（４）は、少なくとも近似的に、同一の水平レベルに配置されている、請求項１０記載のポータブルオプティカルセンサモジュール。
【発明の詳細な説明】
【技術分野】
【０００１】
本発明は、ポータブルオプティカルセンサモジュールに関する。このポータブルオプティカルセンサモジュールは、自身の外面に配置された少なくとも１つのロック装置を有している。このロック装置は、ポータブルオプティカルセンサモジュールを、運搬用プラットフォーム上に、取り外し可能に固定するためのものである。
【０００２】
ポータブルオプティカルセンサモジュールないしは光学機器（例えば航空写真カメラまたはライダーシステム）は、運搬用プラットフォームに、受動的および／または能動的な状態安定部をともって、取り付けられる。硬い持ち手を有する既知の光学機器は、次のような欠点を有する。すなわち、この光学機器が運搬用プラットフォームへの取り付け後に、付加的な素子（例えばねじ接続部、アダプターリング等）によって、固定されなければならない、という欠点を有する。この種の光学機器の既存の折りたたみ可能なまたはスライド可能なハンドルはしばしば、人間工学的にコストをかけて配置されている（例えば、機器の上に直接的に）、または、ＤＯ１６０に記載されているクラッシュセーフティ要求を満たしていない。
【０００３】
本発明の課題は、冒頭に記載した様式のポータブルオプティカルセンサモジュールを、運搬用プラットフォーム上の取り外し可能な固定に関して、改善するということである。
【０００４】
上述の課題は、本発明によって、少なくとも１つのロック装置を外面に有しているポータブルオプティカルセンサモジュールによって解決される。このロック装置は、ポータブルオプティカルセンサモジュールを運搬用プラットフォーム上に取り外し可能に固定する。ここでこの少なくとも１つのロック装置は折りたたみ可能なハンドル装置を有している。このハンドル装置は、少なくとも１つのロック装置の、ロック解除状態においては、ポータブルオプティカルセンサモジュール用の持ち手を形成している。
【０００５】
これによって、光学機器には有利には、アンロック状態において、持ち手として用いられるロック装置が設けられる。この光学機器ないしはポータブルオプティカルセンサモジュールは、幾つかの取っ手を用い、工具またはその他の補助手段を用いずに、殊に、ＤＯ１６０に従ったクラッシュセーフティ要求を遵守して、固定ないしはロックされる。
【０００６】
少なくとも１つのロック装置は、少なくとも１つのロック爪を有することができる。これは、少なくとも１つのロック装置のロック状態において、運搬用プラットフォームの受け部（Aufnahme）を少なくとも部分的に包囲する。
【０００７】
さらに、ロック装置は少なくとも１つの掛金（Sperrklinke）を有することができる。この掛金は、少なくとも１つのロック装置のロック状態において、少なくとも１つのロック爪が動くのを少なくとも近似的に阻止する。
【０００８】
本発明ではさらに、少なくとも１つのロック装置に少なくとも１つの留め金（Verschluss）が設けられている。これは、少なくとも１つのロック装置のロック状態において、少なくとも１つのロック装置の少なくとも１つの掛金が動くのを、少なくとも近似的に阻止している。
【０００９】
折りたたみ可能なハンドル装置と、少なくとも１つの、殊に、ポータブルオプティカルセンサモジュールの外面に配置された案内装置と、少なくとも１つの、その中に案内される、有利には２つの部分で形成された線形伸縮部（Linearauszug）は、少なくとも１つのロック装置を閉じるための少なくとも１つのトグル継ぎ手（Kniehebelgelenk）を形成する。
【００１０】
折りたたみ可能なハンドル装置は、少なくとも１つの線形伸縮部によって、少なくとも１つのロック装置の留め金と接続され得る。
【００１１】
折りたたみ可能なハンドル装置の折りたたみ時には、少なくとも１つの線形伸縮部は短くなり、少なくとも１つの留め金が下方へと押される。これによって少なくとも１つの掛金が動くことが阻止される。
【００１２】
少なくとも１つのロック装置のロック状態において、折りたたみ可能なハンドル装置は、ポータブルオプティカルセンサモジュールの外面に、少なくとも近似的に当接している。
【００１３】
少なくとも１つのロック装置は、容易に、折りたたみ可能なハンドル装置を折りたたむことによってロックされる。
【００１４】
有利には、ポータブルオプティカルセンサモジュールの背中合わせの２つの外面に、それぞれ１つのロック装置が配置されている。
【００１５】
従って、各ロック装置の折りたたみ可能なハンドル装置は、両側で、持ち手として、殊に複数の人用の持ち手として使用される。
【００１６】
ロック装置のこれらの折りたたみ可能なハンドル装置はさらに、少なくとも近似的に、１つの、すなわち同一の水平レベルに配置され得る。
【００１７】
ポータブルオプティカルセンサモジュールは、航空機から航空写真を撮影するための航空写真カメラとしてまたは例えばライダーシステム等として構成され得る。
【００１８】
本発明の有利な構成および発展形態は、従属請求項に記載されている。以降で、図面に基づいて、実施例を原則的に記載する。
【図面の簡単な説明】
【００１９】
【図１】ロック解除状態における、本発明のポータブルオプティカルセンサモジュールと運搬用プラットフォームの簡易化された側面図
【図２】ロック解除状態における本発明のポータブルオプティカルセンサモジュールの、図１の矢印Ｉに沿った簡易化された平面図
【図３】ロック状態における、本発明のポータブルオプティカルセンサモジュールの簡易化された側面図
【実施例】
【００２０】
図１の上方の領域において、本発明に相応して、航空写真撮影用の航空写真用カメラとして形成されたポータブルオプティカルセンサモジュール１が示されている。図示されていない別の実施例では、このポータブルオプティカルセンサモジュールは、気圧等の物理的なパラメータまたは化学的なパラメータを特定するためのライダーシステムであってもよい。
【００２１】
ポータブルオプティカルセンサモジュール１の背中合わせの２つの外面１ａ、１ｂには、運搬用プラットフォーム３上にポータブルオプティカルセンサモジュール１を取り外し可能に取り付ける、それぞれ１つのロック装置２が配置されている。ロック装置２は、それぞれ１つの折りたたみ可能なハンドル装置４を有している。このハンドル装置４は、図１に示されている、ロック装置のロック解除状態においては、ポータブルオプティカルセンサモジュール１用の持ち手４ａを形成する。折りたたみ可能な２つのハンドル装置２は、共通の水平レベルに位置する。
【００２２】
ポータブルオプティカルセンサモジュール１の背中合わせの２つの外面１ａ、１ｂに、折りたたみ可能な２つのハンドル装置４を固定するために、それぞれ１つの軸受け５が設けられている。従って、折りたたみ可能な２つのハンドル装置４は、下方へ、ポータブルオプティカルセンサモジュール１に当接するように折りたたみ可能であり、さらに、上述した水平レベルに上方へ動かすこともできる。折りたたみ可能な各ハンドル装置４と、ポータブルオプティカルセンサモジュール１の外面１ａ、１ｂに配置された各案内装置６と、その中に案内される、有利には２つの部分からなる線形伸縮部７とは、少なくとも１つのロック装置２を閉じるための各トグル継ぎ手８を形成する。図１に示されたロック解除状態において、線形伸縮部７の下方終端部７ａはそれぞれ、案内装置６の上方領域内に位置する。線形伸縮部７は、ロック装置２のさらなる素子に対する接続エレメントも形成する。これは、ポータブルオプティカルセンサモジュール１の２つの外面１ａ、１ｂにおいて、それぞれ、折りたたみ可能なハンドル装置４の下方に配置されている。ロック装置２はそれぞれ、ロック爪９を有している。このロック爪９は、ロック状態において、運搬用プラットフォーム３の少なくとも１つの受け部３ａを、少なくとも部分的に包囲する。さらに、各ロック装置２は掛金１０を有している。この掛金は、各ロック装置２のロック状態において、少なくとも１つのロック爪９が動くのを阻止する。さらに、各ロック装置２には、留め金１１が設けられている。この留め金１１は、ロック状態において、掛金１０が動くのを阻止している。
【００２３】
従ってロック装置２は、それぞれ１つの掛金１０と、ロック爪９と、留め金１１とを含んでいる。ポータブルオプティカルセンサモジュール１を取り付けるために、ポータブルオプティカルセンサモジュールを固定的に、運搬用プラットフォーム３と接続することが必要であろう。運搬用プラットフォーム３の両端には、この実施例では、それぞれ２つの受け部３ａが設けられている。従って、この運搬用プラットフォーム３は全部で４つの受け部３ａを有している。受け部３ａは、上述したように、ポータブルオプティカルセンサモジュール１を運搬用プラットフォーム３上に載せた後に、２つのロック装置２のロック爪９を受けるのに用いられる。運搬用プラットフォーム３は、飛行中にポータブルオプティカルセンサモジュール１を動作させるための、受動的なおよび／または能動的な状態安定部も有することができる。
【００２４】
図２には、図１の矢印Ｉに沿ったポータブルオプティカルセンサモジュール１の平面図が示されている。ここでも、ロック解除状態が示されている。ここでは殊に、ポータブルオプティカルセンサモジュール１が折りたたみ可能なハンドル装置４ないしは持ち手４ａを介して比較的容易に、ある場所から別の場所へと搬送可能であることが見て取れる。
【００２５】
図３は、ポータブルオプティカルセンサモジュール１と運搬用プラットフォーム３を側面図で、図１と比較可能に示している。ポータブルオプティカルセンサモジュール１はここでは、事前に、運搬用プラットフォーム３上に載せられている。ここで２つのロック爪９はそれぞれ、運搬用プラットフォーム３の受け部３ａを包囲している。折りたたみ可能な２つのハンドル装置４は、ポータブルオプティカルセンサモジュール１に接するように折りたたまれており、ロック装置２は閉じられる、ないしはロック状態にある。ロック装置２は、各外面１ａ、１ｂにある折りたたみ可能なハンドル装置４を折りたたむことによって閉じられる。この過程では、上方端部で折りたたみ可能なハンドル装置４と接続されており、下方終端部で案内装置６内へと案内される線形収縮部７が、下方に動かされる。線形伸縮部７は２つの部分から形成されており、次のように接続されている。すなわち、線形伸縮部７が折りたたみ可能なハンドル装置４の折りたたみ時に短くなるように接続されている。この際には留め金１１も下方へ押される。従って最終的に、掛金１０は、ロック爪９が動くのを阻止する。折りたたみ可能な２つのハンドル装置４が、ポータブルオプティカルセンサモジュール１に接するように折りたたまれている場合には、この実施例では、ポータブルオプティカルセンサモジュール１と運搬用プラットフォーム３は、ロック装置２を解除するまで、固定的に相互に接続されている。ここでこの解除は、ロック装置２を閉じるのと逆の順番で行われる。ロック状態では、折りたたみ可能なハンドル装置４は少なくとも近似的に、外面１ａ、１ｂに当接している。
【図１】
0005859020.tif 000002
【図２】
0005859020.tif 000003
【図３】
0005859020.tif 000004